(57)【特許請求の範囲】
【請求項１】
対物レンズと、
接眼レンズと、
前記対物レンズと前記接眼レンズを結ぶ光路の間に設置されたフォーカスレンズ群と、
前記対物レンズと前記接眼レンズと前記フォーカスレンズ群を収納する単眼鏡本体を備えた単眼鏡において、
前記単眼鏡の重心位置の前記単眼鏡本体外周には前記フォーカスレンズ群を光軸方向に駆動し合焦させる、光軸方向への移動が規制された状態で回転可能に設けられたフォーカス環を備え、
前記単眼鏡本体の外周部の下部には三脚座を備え、
前記単眼鏡本体に対する前記三脚座の設置位置は、前記フォーカス環に隣接する位置かつ光軸方向において前記単眼鏡の重心位置よりも先端部に設けられた対物レンズにはかからない位置であり、
光軸方向における前記三脚座の三脚への取付部の設置位置は、前記単眼鏡本体に対する前記三脚座の設置位置と略同じ位置であることを特徴とする三脚座を備えた単眼鏡。
【発明の詳細な説明】
【０００１】
【発明の属する技術分野】
本発明は、望遠鏡を固定して観察するために、該望遠鏡に備えた三脚座に関するものである。詳しくは、その三脚座の配置位置に関するものである。
【０００２】
【従来の技術】
従来の三脚座を備えた望遠鏡は、図３、図４に示す如く構成されていた。以下図面を参照して従来の技術を説明する。
図３は、従来の単眼望遠鏡の縦断面図であり、図４は、従来の単眼望遠鏡を三脚に保持させた状態を示す三脚の一部を省略した図である。
【０００３】
図３において、単眼望遠鏡１０は、物体側に対物レンズ部２が配置されている。そして、フォーカスレンズ群及びリレーレンズ系を介して像側に接眼レンズ部３が配置されている。単眼望遠鏡１０の略中央部外周には、フォーカスレンズ群を駆動して合焦させるフォーカス環６が、光軸方向の移動は規制され回転可能に嵌合している。また、フォーカス環６と接眼レンズ部３との間の、単眼望遠鏡１０の望遠鏡本体１０ａ下部には、三脚座７が設けられている。
【０００４】
このように構成された単眼望遠鏡１０のバランス位置（重心）は、図示黒丸印位置となる。
図４は、図３で説明した単眼望遠鏡１０を三脚８に固定した状態を示している。図４に示す通り、フォーカス環６とバランス位置（重心）は、三脚８の支持位置より、はるか対物レンズ部２側に位置している。また、三脚８は、周知の通り雲台操作ハンドル８ａを緩めることによって、単眼望遠鏡１０の観察方向を選択可能とし、絞めることによって所望位置に固定できる。
【０００５】
【発明が解決しようとする課題】
このような従来の構成においては、単眼望遠鏡１０のバランス位置（重心）及びフォーカス環６が、三脚座７よりも対物レンズ側に位置するので、その操作性、及び保持の安定性において不都合な点があった。
まず、バランス位置（重心）が対物レンズ部２側にあるので、三脚８に固定した状態で雲台操作ハンドル８ａを不用意に緩めると、操作者の反対側、即ち、前側に突然倒れてしまうので、単眼望遠鏡１０を急には保持しにくく、単眼望遠鏡１０に何らかの支障が発生するという問題点があった。
【０００６】
また、フォーカス環６は、三脚８の操作者の反対側に位置するので、合焦操作をするときは、手を三脚の向こう側に回さなければならないので、操作がしにくいという問題点もあった。
さらに、三脚座７が、接眼レンズ部３側に設けられている関係上、三脚８の雲台操作ハンドル８ａが、接眼レンズ部３より操作者側に位置するので、操作者が接眼レンズ部３を覗くとき、それに当たらないために、上体を前屈みにしなくてはなず、無理な姿勢で観察をしなければならないという問題点があった。
【０００７】
本発明は、このような従来の問題点に鑑みてなされたものであり、その目的とするところは、操作性が良好で不用意な操作にも迅速な対応を可能とする三脚座を備えた望遠鏡を提供することにある。
【０００８】
【課題を解決するための手段】
上記目的を達成するために、本発明では下記を提供する。
【０００９】
本発明の請求項１では、対物レンズと、接眼レンズと、前記対物レンズと前記接眼レンズを結ぶ光路の間に設置されたフォーカスレンズ群と、前記対物レンズと前記接眼レンズと前記フォーカスレンズ群を収納する単眼鏡本体を備えた単眼鏡において、前記単眼鏡の重心位置の前記単眼鏡本体外周には前記フォーカスレンズ群を光軸方向に駆動し合焦させる、光軸方向への移動が規制された状態で回転可能に設けられたフォーカス環を備え、前記単眼鏡本体の外周部の下部には三脚座を備え、前記単眼鏡本体に対する前記三脚座の設置位置は、前記フォーカス環に隣接する位置かつ光軸方向において前記単眼鏡の重心位置よりも先端部に設けられた対物レンズにはかからない位置であり、光軸方向における前記三脚座の三脚への取付部の設置位置は、前記単眼鏡本体に対する前記三脚座の設置位置と略同じ位置であることを特徴とする三脚座を備えた単眼鏡を提供する。
【００１０】
【発明の実施の形態】
以下、本発明の実施の形態を図面を参照して説明する。図１は、本発明の実施形態を示す単眼望遠鏡の縦断面図であり、図２は、本発明の実施形態の単眼望遠鏡を三脚に保持させた状態を示す三脚の一部を省略した図である。
図１において、単眼望遠鏡１は、物体側に対物レンズ部２が配置されている。そして、フォーカスレンズ群及びリレーレンズ系を介して像側に接眼レンズ部３が配置されている。単眼望遠鏡１の略中央部外周には、フォーカスレンズ群を駆動して合焦させるフォーカス環４が、光軸方向の移動は規制され回転可能に嵌合している。また、フォーカス環４と接眼レンズ部３との間の、単眼望遠鏡１の望遠鏡本体１ａ下部には、三脚座５が設けられている。この三脚座５は、フォーカス環４よりも少なくとも物体側、即ち、対物レンズ側に位置させる如く配置されている。そして、このときの単眼望遠鏡１のバランス位置（重心）は、三脚座５をより像側、即ち、接眼側に位置される。
【００１１】
このように構成された単眼望遠鏡１のバランス位置（重心）は、本実施形態にあっては、図示黒丸印位置となる。
図２は、図１で説明した単眼望遠鏡１を三脚８に固定した状態を示している。図２に示す通り、フォーカス環４とバランス位置（重心）は、三脚８の支持位置より接眼レンズ部３側に位置している。また、三脚８は、周知の通り雲台操作ハンドル８ａを緩めることによって、単眼望遠鏡１の観察方向を選択可能とし、絞めることによって所望位置に固定できる。
【００１２】
上記の構成によって、本発明の実施形態においては、単眼望遠鏡のバランス位置（重心）及びフォーカス環が三脚座より接眼レンズ側に位置するので、その操作性、及び保持の安定性において非常に良好となっている。
まず、バランス位置（重心）が接眼レンズ部側にあるので、三脚に固定した状態で雲台操作ハンドル８ａを不用意に緩めても、操作者側、即ち、後側に倒れるので反対側に倒れるより遙に保持しやすく、単眼望遠鏡を事故から防ぐことが容易となる。
【００１３】
また、フォーカス環４は、三脚８の操作者の手前側に位置するので、合焦操作をするときは、従来のように三脚による障害が無くなるので操作が非常にやりやすくなる。
さらに、三脚座が、対物レンズ部側に設けられている関係上、三脚の雲台操作ハンドルが、操作者に対して、接眼レンズ部より離れた所に位置するので、操作者が接眼レンズ部を覗くとき、自然な姿勢で観察をすることができる。
【００１４】
尚、本実施形態では、単眼望遠鏡で説明したがこれにこだわるものではなく、三脚座を備えた全ての望遠鏡に適用できることは、勿論である。
【００１５】
【発明の効果】
以上説明したように、本発明によれば、三脚座を備えた望遠鏡において、三脚座を望遠鏡の重心位置より対物レンズ側に配置したので、操作性が良好であり、また、不用意な操作にも迅速な対応を可能とする効果を奏する。
【図面の簡単な説明】
【図１】本発明の実施形態を示す単眼望遠鏡の縦断面図である。
【図２】本発明の実施形態の単眼望遠鏡を三脚に保持させた状態を示す三脚の一部を省略した図である。
【図３】従来の単眼望遠鏡の縦断面図である。
【図４】従来の単眼望遠鏡を三脚に保持させた状態を示す三脚の一部を省略した図である。
【符号の説明】
１      単眼望遠鏡
１ａ    望遠鏡本体
２      対物レンズ部
３      接眼レンズ部
４      フォーカス環
５      三脚座
６      フォーカス環
７      三脚座
８      三脚
８ａ    雲台操作ハンドル
【図１】
0004013342.tif 000002
【図２】
0004013342.tif 000003
【図３】
0004013342.tif 000004
【図４】
0004013342.tif 000005